(57)【特許請求の範囲】
【請求項１】
浮力を有するうき本体の下部に取付けられる釣り糸装着具であって、前記うき本体の下部に一端が取付けられる紐状の自在屈曲部材と、該自在屈曲部材の他端に取付けられるゴム管装着棒とを有し、しかも該ゴム管装着棒の下端には耐蝕性のある金属線をＵ字形に折り曲げ、その基端部を該ゴム管装着棒に溝を介して埋め込んで固着した掛止リングが設けられ、更には該掛止リングの外幅は前記ゴム管装着棒の直径の７０〜１２０％の範囲であることを特徴とする釣り用うきの釣り糸装着具。
【請求項２】
浮力を有するうき本体の下部に取付けられる釣り糸装着具であって、前記うき本体の下部に一端が取付けられる紐状の自在屈曲部材と、該自在屈曲部材の他端に取付けられるゴム管装着棒とを有し、しかも前記ゴム管装着棒の下端には耐蝕性のある金属線を巻いてリングを作りその両端を該ゴム管装着棒に溝を介して固着した掛止リングが設けられ、更には該掛止リングの外幅は前記ゴム管装着棒の直径の７０〜１２０％の範囲であることを特徴とする釣り用うきの釣り糸装着具。
【請求項３】
請求項１又は２記載の釣り用うきの釣り糸装着具において、前記ゴム管装着棒の下部に金属製の筒を被せたことを特徴とする釣り用うきの釣り糸装着具。
【発明の詳細な説明】
【０００１】
【産業上の利用分野】
本発明は、固定うき仕掛け及び移動うき仕掛けにも使用できる釣り用うきの釣り糸装着具に関する。
【０００２】
【従来の技術】
釣り用うきを用いた一般的な釣り用仕掛けを図５に示すが、釣り竿３０の基端部にリール３１を取付け、該リール３１からガイドを介して釣り糸３２を釣り竿３０の先端に導き、竿先から突出する釣り糸３２の途中に、うき止め３３、うき止め球３４、棒状の釣り用うき３５、重り３６を取付け、該釣り糸３２の端部にサルカン３７を連結し、該サルカン３７の他端に適当長さのハリス３８を介して釣り針３９を固着して構成されている。
そして、前記釣り用うき３５はその下部に屈曲自在な紐４０を介してゴム管装着棒４１が設けられ、該ゴム管装着棒４１の下部には糸通し孔４２が形成され、この例では糸通し孔４２に釣り糸３２を挿通し、移動うき仕掛けを構成している。なお、前記釣り用うき３５は固定うき仕掛けにも使用され、この場合は、ゴム管装着棒４１を釣り糸に挿通されたゴム管に装着して釣り糸に取付ける。
【０００３】
【発明が解決しようとする課題】
しかしながら、前記釣り用うき３５を移動うき仕掛けとして使用する場合には、直径の小さい糸通し孔４２に釣り糸３２を通す必要があり、この為糸滑りが悪く、重り３６等が軽い場合に仕掛けが円滑に水中に沈まないという問題点があった。
また、釣り糸３２から釣り用うき３５を外す場合には、釣り糸３２を切断する必要があり、この為別にスナップサルカンの付いた釣り糸通し球を装着する場合があるが、小径の糸通し孔４２が硬質のゴム管装着棒４１に形成されているので、スナップ部分が嵌入しにくいという問題点があった。
本発明はかかる事情に鑑みてなされたもので、ゴム管を使用した固定うき仕掛けにも使用でき、更には移動うき仕掛けとして使用する場合には糸滑りが良い釣り用うきの釣り糸装着具を提供することを目的とする。
【０００４】
【課題を解決するための手段】
前記目的に沿う請求項１記載の釣り用うきの釣り糸装着具は、浮力を有するうき本体の下部に取付けられる釣り糸装着具であって、前記うき本体の下部に一端が取付けられる紐状の自在屈曲部材と、該自在屈曲部材の他端に取付けられるゴム管装着棒とを有し、しかも該ゴム管装着棒の下端には耐蝕性のある金属線をＵ字形に折り曲げ、その基端部を該ゴム管装着棒に溝を介して埋め込んで固着した掛止リングが設けられ、更には該掛止リングの外幅は前記ゴム管装着棒の直径の７０〜１２０％の範囲である。
請求項２記載の釣り用うきの釣り糸装着具は、浮力を有するうき本体の下部に取付けられる釣り糸装着具であって、前記うき本体の下部に一端が取付けられる紐状の自在屈曲部材と、該自在屈曲部材の他端に取付けられるゴム管装着棒とを有し、しかも前記ゴム管装着棒の下端には耐蝕性のある金属線を巻いてリングを作りその両端を該ゴム管装着棒に溝を介して固着した掛止リングが設けられ、更には該掛止リングの外幅は前記ゴム管装着棒の直径の７０〜１２０％の範囲である。
請求項３記載の釣り用うきの釣り糸装着具は、請求項１及び２記載の釣り用うきの釣り糸装着具において、前記ゴム管装着棒の下部に金属製の筒を被せている。
以上において、自在屈曲部材とは十分強度を有する繊維素材及び／又は合成樹脂素材からなって自在に曲がる物をいう。
また、以上において、掛止リングの外幅を、ゴム管装着棒の７０〜１２０％としたのは、１２０％を超えるとゴム管への挿通が困難となり、７０％以下になるとリングの内径が小さくなり、釣り糸の挿通が困難となるからである。
【０００５】
【作用】
請求項１〜３記載の釣り用うきの釣り糸装着具は、うき本体の下部に紐状の自在屈曲部材を介してゴム管装着棒を取付け、該ゴム管装着棒の端部に掛止リングが設けられている。この掛止リングは耐蝕性を有する金属線からなるので、糸滑りが良い。そして、掛止リングの外幅はゴム管装着棒の外径の７０〜１２０％となっているので、弾力性を有するゴム管を支障なく通して、釣り用うきを釣り糸に固定することができる。
【０００６】
【実施例】
続いて、添付した図面を参照しつつ、本発明を具体化した実施例につき説明し、本発明の理解に供する。
ここに、図１は本発明の第１の実施例に係る釣り糸装着具を適用した釣り用うきの側面図、図２は図１における矢視Ａ−Ａ断面図、図３は本発明の第２の実施例に係る釣り用うきの釣り糸装着具の説明図、図４は本発明の第３の実施例に係る釣り用うきの釣り糸装着具の説明図である。
【０００７】
図１に示すように、本発明の第１の実施例に係る釣り糸装着具を適用した釣り用うき１０は、うき本体１１と、該うき本体１１の下部に一端が固着されている自在屈曲部材１２と、該自在屈曲部材１２の他端にその一端が固着されているゴム管装着棒１３と、該ゴム管装着棒１３の他端に取付けられているＵ字状の金属線１４とを有してなる。以下、これらについて詳しく説明する。
【０００８】
前記うき本体１１は比重が１以下の浮力を有する材料（例えば、木材、軽量プラスチック、中空プラスチック）からなって、下端にはやや拡径する棒状部１５が設けられ、該棒状部１５には自在屈曲部材１２の一端が被さって接着剤によって固着されている。
前記自在屈曲部材１２は筒状に編んだ繊維筒（合成樹脂繊維、天然繊維を含む）からなって、他端はゴム管装着棒１３の一端に被さった状態で固着されている。
【０００９】
前記ゴム管装着棒１３は硬質のプラスチック、カーボン繊維または金属等からなって、前記自在屈曲部材１２が被さる部分は拡径している。そして、該ゴム管装着棒１３の下端にはＵ字状の金属線１４が固着されている。この金属線１４はステンレス等の耐蝕性を有する線材からなって、ゴム管装着棒１３に埋め込まれている。この実施例においては、金属線１４の先端は真っ直ぐであるが、先端を少し内側に屈曲させてゴム管装着棒１３内に嵌入させるようにしたり、ゴム管装着棒１３の下部を図２に２点鎖線で記載するように金属筒１６で被せるようにすることによって、更に強く金属線とゴム管装着棒を連結することができる。
なお、この実施例における釣り糸装着具は、前記自在屈曲部材１２と、ゴム管装着棒１３と、Ｕ字状の金属線１４とを有して構成されている。
【００１０】
該釣り用うき１０を使用する場合には、前記金属線１４とゴム管装着棒１３の端部で形成される掛止リング１７に釣り糸を挿通することも可能であり、更に別のスナップサルカン等を装着することも可能である。また、ゴム管を使用する通常の固定うきとして使用できることは当然である。
なお、前記掛止リング１７の幅ｗ1 をゴム管装着棒１３の直径と同一としたが、該掛止リング１７の幅ｗ1 をゴム管装着棒１３の直径の７０〜１２０％とすることができる。
【００１１】
続いて、図３を参照しながら、本発明の第２の実施例に係る釣り用うきの釣り糸装着具について説明すると、前述のように自在屈曲部材を介してうき本体に取付けられたゴム管装着棒１８には中央を巻回して掛止リング１９を構成した金属線２０が取付けられている。この金属線２０の固定は単にゴム管装着棒１８に形成された溝に接着しても良く、あるいは図に２点鎖線で示すように金属製の筒２１を被せても良い。この釣り用うきの釣り糸装着具によって、該釣り用うきを糸滑りの良い移動うき、あるいは通常の固定うきとして使用できる。
なお、前記掛止リング１９の幅ｗ2 をゴム管装着棒１８の直径と同一としたが、該掛止リング１９の幅ｗ2 をゴム管装着棒１８の直径の７０〜１２０％とすることができる。
【００１２】
次に、図４を参照しながら、本発明の第３の実施例に係る釣り用うきの釣り糸装着具について説明するが、うき本体の下部に自在屈曲部材を介して取付けられるゴム管装着棒２２の下端にスナップサルカン２３が取付けられている。
このスナップサルカン２３は、薄い耐蝕性のある金属板（例えば、ステンレス板等）からなる断面溝状の掛け金２４と、耐食性のある金属線（例えば、ステンレス）からなるフック部２５とを有している。前記掛け金２４及びフック部２５の基端はゴム管装着棒２２に固着されているが、前記掛け金２４の端部は筒状となって、前記ゴム管装着棒２２の基端に巻き着くように固定されている。
そして、前記フック部２５と掛け金２４とによって、掛止リング２６を形成し、その部分に釣り糸を挿通することによって移動うきとして使用し、ゴム管装着棒２２にゴム管を装着することによって、固定うきとして使用できる。
なお、前記掛止リング２６の幅ｗ3 をゴム管装着棒２２の直径と同一としたが、該掛止リング２６の幅ｗ3 をゴム管装着棒２２の直径の７０〜１２０％とすることができる。
【００１３】
前記実施例は、棒状のうき本体に釣り糸装着具を適用した例を示したが、球状あるいは楕球状のうき本体の下部に棒状部を設け、該棒状部に自在屈曲部材を介して本発明に係る釣り糸装着具を設けることも可能である。
また、前記実施例においては、ゴム管装着棒の上部に拡径部を設けているが、必ずしも必要でなく、紐あるいは管状の自在屈曲部材に確実に接合できるものであればよい。
【００１４】
【発明の効果】
請求項１〜３記載の釣り用うきの釣り糸装着具は、うき本体の下部に紐状の自在屈曲部材を介してゴム管装着棒を取付け、該ゴム管装着棒の端部に耐蝕性を有する掛止リングが設けられているので、糸滑りが良い。従って、仕掛けが軽い場合であっても、支障なく魚釣りを行うことができる。
そして、固定うきとして使用する場合には、掛止リングの外幅はゴム管装着棒の外径の７０〜１２０％となっているので、弾力性を有するゴム管を使用して釣り用うきを釣り糸に固定することができる。
【図面の簡単な説明】
【図１】本発明の第１の実施例に係る釣り糸装着具を適用した釣り用うきの側面図である。
【図２】図１における矢視Ａ−Ａ断面図である。
【図３】本発明の第２の実施例に係る釣り用うきの釣り糸装着具の説明図である。
【図４】本発明の第３の実施例に係る釣り用うきの釣り糸装着具の説明図である。
【図５】従来例に係る釣り用仕掛けの斜視図である。
【符号の説明】
１０  釣り用うき
１１  うき本体
１２  自在屈曲部材
１３  ゴム管装着棒
１４  金属線
１５  棒状部
１６  金属筒
１７  掛止リング
１８  ゴム管装着棒
１９  掛止リング
２０  金属線
２１  筒
２２  ゴム管装着棒
２３  スナップサルカン
２４  掛け金
２５  フック部
２６  掛止リング
【図１】
0003568583.tif 000002
【図２】
0003568583.tif 000003
【図３】
0003568583.tif 000004
【図４】
0003568583.tif 000005
【図５】
0003568583.tif 000006